(57)【要約】      （修正有）【課題】汎用性があり、簡単且つ低コストで鮮度保持ができる鮮度保持剤、鮮度保持製品、鮮度保持パックを提供する。【解決手段】光触媒を担持した酸素透過性の包装部と、該包装部内に保持された脱酸素剤と、を含む鮮度保持剤１００を用いる。該鮮度保持剤と、該鮮度保持剤を覆う容器と、を含む鮮度保持製品を用いる。保存対象物１１を内側に包む、酸素不透過性の素材から成る容器１０と、上記容器の内側に保持された上記鮮度保持剤と、を含む鮮度保持パック２０を用いる。【選択図】図１
0003202747.tif 000002
【実用新案登録請求の範囲】
【請求項１】
光触媒を担持した酸素透過性の包装部と、
前記包装部内に保持された脱酸素剤と、を含む鮮度保持剤。
【請求項２】
さらに、前記包装部に保持された光源と、を含む請求項１記載の鮮度保持剤。
【請求項３】
前記包装部は、前記光触媒を練り込んだもの、または、前記光触媒を塗布したものである請求項１または２記載の鮮度保持剤。
【請求項４】
前記包装部は、酸素透過性の素材あるいは有孔の素材から成る請求項１〜３のいずれか１項に記載の鮮度保持剤。
【請求項５】
前記包装部は、光透過性の素材から成る請求項１〜４のいずれか１項に記載の鮮度保持剤。
【請求項６】
請求項１〜５のいずれか１項に記載の鮮度保持剤と、
前記鮮度保持剤を覆う容器と、を含む鮮度保持製品。
【請求項７】
保存対象物を内側に包む、酸素不透過性の素材から成る容器と、
前記容器の内側に保持された請求項１〜５のいずれか１項に記載の鮮度保持剤と、を含む鮮度保持パック。
【請求項８】
保存対象物を内側に包む、酸素不透過性の素材から成る容器と、
前記容器の内側に保持された請求項１〜５のいずれか１項に記載の鮮度保持剤と、
前記鮮度保持剤へ光を照射する光源と、を含む鮮度保持パック。
【考案の詳細な説明】
【技術分野】
【０００１】
本願考案は、鮮度保持剤、鮮度保持製品及び鮮度保持パックに関する。特に、食料品の鮮度を保つための鮮度保持剤、鮮度保持製品及び鮮度保持パックに関する。
【背景技術】
【０００２】
従来から、脱酸素剤は、食品類の酸化による劣化など防止して鮮度を保持する目的で使用されている。これまで鉄系を中心とした種々の脱酸素剤が提案されている（例えば、特許文献１〜３）。
しかし、最近では酸化チタン系のものも提案されている（例えば、特許文献４、５）。また、食品、衣料品、医薬品、革製品、木製品、精密機械などの種々の物品や商品を、カビ、菌、虫、及び酸化などによる品質の劣化から防止するため、脱酸素剤を使用することが提案されている。
【０００３】
特許文献６では、全体を包む容器１４に光触媒１３が設けられている。これを図４の斜視図で説明する。
図４は、野菜などの対象物１１を、容器１４に入れて保存、販売するものである。容器１４自体に光触媒１３を入れ込んでいる。さらに、容器１４内部に脱酸素剤１２を設けている。
【０００４】
光触媒１３は、光を受けて作動し、対象物１１が放出するエチレンガスを分解し、二酸化炭素にする。脱酸素剤１２は、容器１４内部の酸素を吸収する。結果、対象物１１の鮮度が保たれる。
【先行技術文献】
【特許文献】
【０００５】
【特許文献１】特開昭５６−２８４５号公報
【特許文献２】特開昭５６−１３０２２２号公報
【特許文献３】特開昭５８−１２８１４５号公報
【特許文献４】特許第３２８８２６５号公報
【特許文献５】特許第４２８８４９９号公報
【特許文献６】特開２００９−１２８０３号公報
【考案の概要】
【考案が解決しようとする課題】
【０００６】
上記の例では、容器１４に光触媒１３を入れ込む必要があり、汎用性がない。本願考案では、汎用性がある鮮度保持する手段（鮮度保持剤、鮮度保持製品及び鮮度保持パック）の提供を課題とする。
【課題を解決するための手段】
【０００７】
上記課題を解決するため、光触媒を担持した酸素透過性の包装部と、該包装部内に保持された脱酸素剤と、を含む鮮度保持剤を用いる。該鮮度保持剤と、該鮮度保持剤を覆う容器と、を含む鮮度保持製品を用いる。
また、保存対象物を内側に包む、酸素不透過性の素材から成る容器と、該容器の内側に保持された上記鮮度保持剤と、を含む鮮度保持パックを用いる。
【考案の効果】
【０００８】
本願考案の鮮度保持剤は、果物や野菜などの生鮮食料品が放出するエチレンガスを酸化分解して二酸化炭素に変えるとともに、酸素を吸収して酸素濃度を減少させることができる。
野菜などの生鮮食料品を、透明な酸素不透過性の包装容器に封入し、その中にこの鮮度保持剤を入れて密封しておけば、光触媒に光が当たって果物や野菜などの生鮮食料品が放出するエチレンガスを酸化分解して二酸化炭素に変える。
さらに、脱酸素剤が酸素を吸収するため、生鮮食料品を取り巻く雰囲気から酸素濃度を減少させるとともに、成熟ホルモンであるエチレンを除去し、二酸化炭素濃度を増やすことができる。結果、果物や野菜などの生鮮食料品を冬眠状態にして鮮度保持を効果的に行うことができる。
【図面の簡単な説明】
【０００９】
【図１】実施の形態の鮮度保持パックの斜視図
【図２】（ａ）実施の形態の鮮度保持剤の斜視図、（ｂ）実施の形態の鮮度保持剤の保管状態（鮮度保持製品）を示す斜視図、（ｃ）光源を有する鮮度保持剤の斜視図、（ｄ）光源を有する鮮度保持剤の使用前の状態（鮮度保持製品）を示す斜視図
【図３】（ａ）実施の形態の鮮度保持剤の別例の斜視図、（ｂ）（ａ）の鮮度保持剤を用いた鮮度保持容器の開放状態を示す斜視図
【図４】従来の包装容器を示す斜視図
【考案を実施するための形態】
【００１０】
一方、本願考案を、図１〜図２（ｄ）を用いて説明する。考案の鮮度保持パック２０は、包装容器１０の内部に対象物１１と鮮度保持剤１００が入っている。図２（ａ）は、鮮度保持剤１００の斜視図である。図２（ｂ）は、鮮度保持剤１００の使用前の状態を示す斜視図である。図２（ｃ）は、さらに、光源１０３を有する場合の鮮度保持剤１００の斜視図である。図２（ｄ）は、図２（ｃ）の場合の光源１０３を有する鮮度保持剤１００の使用前の状態を示す斜視図である。
【００１１】
＜鮮度保持剤１００＞
鮮度保持剤１００は、光触媒１３を担持した酸素透過性の包装部１０１に、脱酸素剤１０２あるいは脱酸素剤１０２と光源１０３を封入したものである。
鮮度保持剤１００は、使用しない場合は、図２（ｂ）のように、酸素が透過しない容器２００に入れて保存する。この状態を鮮度保持製品１０４と呼ぶ。使用する時は、容器２００を開放し、鮮度保持剤１００を取り出し、果物や野菜などの生鮮食料品（対象物１１）を入れた透明な包装容器１０（図１）の中に入れて密封して使用する。
【００１２】
＜光触媒１３＞
光触媒１３は、酸化チタン、酸化亜鉛、酸化タングステン、酸化スズ、酸化バナジウム、三酸化二ビスマス、酸化第二鉄、チタン酸ストロンチウム、硫化カドミウムの内から選ばれた１種あるいは２種以上を含有している。また、それらに白金、ロジウム、ルテニウム、パラジウム、銀、銅、鉄、亜鉛などの金属イオンや窒素などをドープしたものや、シリカやアルミナ、アパタイトなどを担持したものでも良い。
【００１３】
＜包装部１０１＞
包装部１０１は、光触媒１３を担持したものであり、担持の方法としては光触媒１３の粒子の練り込みや光触媒１３液の塗布が挙げられる。そして、練り込みの場合には光触媒１３粒子が包装部１０１の表面から頭が出ていることが望ましい。また、塗布の場合には包装部１０１の外表面に光触媒１３の液が塗布されていることが望ましい。しかし、光源１０３が使用されている場合は包装部１０１の内表面と外表面に光触媒１３の液が塗布されていることが望ましい。
【００１４】
これによって、光触媒１３に光が当たりやすくなる。この際、光触媒１３は表面積が大きいものが望ましく、粒径が１μｍ以下の超微粒子のものが望ましい。光触媒１３の粒径を小さくすると表面積が大きくなって光触媒反応の反応速度が大きくなるため、光触媒反応によってエチレンガスを短時間で二酸化炭素に酸化分解することができる。
【００１５】
特に、光触媒１３の粒径を８０ｎｍ以下にすると散乱が起こりにくくなるので、それをプラスチックに練り込むことで透明なプラスチックシートや容器、包装部１０１をつくることができるため、好ましい。但し、光触媒の粒径が４ｎｍ未満になると結晶性が悪くなって光触媒の性能が悪くなるため、光触媒の粒径は４ｎｍ〜８０ｎｍが最も好ましい。
【００１６】
包装部１０１は、酸素透過性の素材あるいは有孔の素材から成る。このような素材としては各種プラスチックや紙などが挙げられる。これによって、包装部１０１から酸素が透過することができる。包装部１０１は、光透過性の素材から成る。これによって、光触媒１３に光が当たりやすくなるとともに、脱酸素剤として酸化チタン系のような酸素を吸収することにより色が変化するものを使用した場合、その色の変化が見やすくなる。
【００１７】
＜脱酸素剤１０２＞
脱酸素剤１０２は、鉄系、酸化チタン系、アスコルビン酸系、フェノール誘導体系の内から選ばれた１種あるいは２種以上である。これらを単独で使用しても良いし、２種以上を混合して使用しても良い。
【００１８】
それらの形状は塊状や粒状でも良いが、粉末状が好ましい。粉末状の脱酸素剤は表面積が大きいため、酸素と反応しやすく、酸素の吸収速度が大きいので、短時間で酸素を吸収することができる。
＜光源１０３＞
光源１０３はＬＥＤや半導体レーザー、クリプトン電球などである。それらが放出する光は紫外線に近い短い波長の可視光が好ましい。これらを単独で使用しても良いし、２種以上の光源を使用しても良い。また、放出される光の方向は全方位に近いことが望ましい。それによって包装部１０１の光触媒１３に光が当たりやすくなる。
【００１９】
光源１０３はボタン電池や充電池、太陽電池などの電源と一体化されているものでも、電源コードやマイクロ波などで電源と接続されているものでも良い。
図３（ａ）は、鮮度保持剤１００の例を示す斜視図である。鮮度保持剤１００において、光源１０３は、太陽電池２０３とコード２０２で接続される。果物などを段ボール箱などの容器２０４に入れて送る場合を図３（ｂ）で示す。太陽電池２０３を容器２０４の外面にクリップ２０１などで固定して使用する。このことにより、長期間、光源１０３の光を鮮度保持剤１００へ照射できる。結果、容器２０４内の果物などの鮮度を保つことができる。
【００２０】
光源１０３は、また、継続的に点灯のものでも、点滅光源でも良い。光源１０３と電源とが一体化したものでは、光源１０３は、点滅光源がよい。点滅光源は、エネルギー消費が少なく、長期間持ち、好ましい。
なお、光源１０３は、包装部１０１内にあることは、必須でない。包装部１０１の外部に存在してもよい。
【００２１】
＜鮮度保持パック２０＞
鮮度保持パック２０は、鮮度保持剤１００を酸素不透過性の素材から成る包装容器１０に入れたものである。この際、包装容器１０は透明なもので中の鮮度保持剤１００が良く見えるものが望ましい。また、酸素不透過性の素材としては合成樹脂製や金属箔などのラミネートフィルムなどが挙げられる。
【００２２】
＜効果＞
本願考案の光触媒１３を担持した酸素透過性の包装部１０１に脱酸素剤１０２あるいは脱酸素剤１０２と光源１０３を封入した鮮度保持剤１００は、果物や野菜などの生鮮食料品が放出するエチレンガスを酸化分解して二酸化炭素に変えるとともに、酸素を吸収して酸素濃度を減少させることができる。
【００２３】
野菜などの生鮮食料品を、透明な酸素不透過性の包装容器１０に封入し、その中にこの鮮度保持剤１００を入れて密封しておけば、光触媒１３に光が当たって果物や野菜などの生鮮食料品が放出するエチレンガスを酸化分解して二酸化炭素に変える。さらに、脱酸素剤１０２が酸素を吸収するため、生鮮食料品を取り巻く雰囲気から酸素濃度を減少させるとともに、成熟ホルモンであるエチレンを除去し、二酸化炭素濃度を増やすことができる。このため、果物や野菜などの生鮮食料品を冬眠状態にして鮮度保持を効果的に行うことができる。
【００２４】
光触媒１３と脱酸素剤１０２とを、ただ単に一緒に包装容器１０に入れただけでは、脱酸素剤１０２が光触媒１３に重なり、光触媒１３に光が当たるのを邪魔することがある。この場合、エチレンガスを酸化分解して二酸化炭素に変えることが妨げられ、鮮度保持効果を得ることが難しい。
【００２５】
特に、本願考案の光触媒１３を担持した酸素透過性の包装部１０１に脱酸素剤１０２と光源１０３を封入した鮮度保持剤１００の場合は、光源１０３が内蔵されているため、段ボール箱のような外光が入らない容器に入れて使用する場合も光触媒反応を起こすことができるため、極めて広い用途に適用可能である。
【００２６】
＜効果＞
本願考案により、通常は高価で複雑かつ大掛かりで精密な装置を用いないと実現の難しい生鮮食料品を取り巻く雰囲気の調整を簡単かつ低コストで行うことができるため、経済的な波及効果が非常に大きい。そしてその結果、生鮮食料品の腐敗などによる損失を大幅に減らすことができ、人類の課題である食糧問題の改善に貢献できる。
【００２７】
＜実施例１＞
次に、実施例に基づいて本願考案を具体的に説明するが、以下の実施例は代表例であり、これによって何ら限定されるものではない。
酸化チタンにアパタイトを担持して鉄をドープした可視光で働く光触媒１３の５０ｎｍの超微粒子をポリエチレンフィルムに練り込んで２ｃｍ角の透明な容器に成形したもの（包装部１０１）に、酸化チタン系で酸素を吸収すると色が青から白に変わる脱酸素剤１０２の粉末を１ｇ封入して鮮度保持剤１００を作製した。
【００２８】
次に、合成樹脂と金属箔とをラミネートした酸素透過性のないフィルムでできた包装容器１０に、２３０ｇのリンゴと上記鮮度保持剤１００とを入れた。
同じ条件で、鮮度保持剤１００を入れずに包装容器１０に密封したリンゴを窓際に置いて変化を比べた。
【００２９】
その結果、鮮度保持剤１００を入れた方は、脱酸素剤１０２の色が青から青白に変わった。これは脱酸素剤１０２が包装容器１０の中の酸素を吸収したためである。さらに、脱酸素剤１０２の色が白になっていないことから、まだ酸素吸収能力を保持しており、包装容器１０の中の酸素がなくなったことを示している。そして、この包装容器１０の中のリンゴは１カ月たっても変化がなかった。
【００３０】
これに対して、鮮度保持剤１００を入れなかった方はリンゴの表面に茶色の点が生じてだんだん大きく広がっていき、２週間後には腐ってしまった。このように本願考案の鮮度保持剤１００の明らかな鮮度保持効果が見られた。
＜実施例２＞
４０５ｎｍの光を放出するＬＥＤ光源１０３を封入し、それ以外は実施例１と同様の鮮度保持剤１００を２５０ｇの桃と、透明な酸素不透過性フィルムでできた包装容器１０に入れ、ＬＥＤ光源１０３を点灯した。これと同じ条件で、鮮度保持剤１００を入れずに包装容器１０に密封した桃を段ボール箱に入れ、ときどき段ボール箱を開けて両方の桃の変化を調べた。
【００３１】
その結果、鮮度保持剤１００を入れた方は脱酸素剤１０２の色が青から青白に変わったが、桃は１週間たっても変化がなかった。
これに対して、鮮度保持剤１００を入れなかった方は３日後には桃の表面が茶色に変色していき、１週間後には桃がどろどろになって腐ってしまった。このように本願考案の鮮度保持剤１００の明らかな鮮度保持効果が見られた。
【００３２】
なお、上記例をそれぞれ組みあわせることができる。上記で容器とあるものは、袋でもよい、密閉性があればよい。
【産業上の利用可能性】
【００３３】
食品、衣料品、医薬品、革製品、木製品、精密機械などの種々の物品や商品を、カビ、菌、虫、及び酸化などによる品質の劣化から防止するため、本願考案を使用することができる。
【符号の説明】
【００３４】
１０  包装容器
１１  対象物
１２  脱酸素剤
１３  光触媒
１４  容器
２０  鮮度保持パック
１００  鮮度保持剤
１０１  包装部
１０２  脱酸素剤
１０３  光源
１０４  鮮度保持製品
２００  容器
２０１  クリップ
２０２  コード
２０３  太陽電池
２０４  容器
【図１】
0003202747.tif 000003
【図２】
0003202747.tif 000004
【図３】
0003202747.tif 000005
【図４】
0003202747.tif 000006